【手続補正書】
【提出日】平成19年7月3日(2007.7.3)
【手続補正１】
【補正対象書類名】明細書
【補正対象項目名】特許請求の範囲
【補正方法】変更
【補正の内容】
【特許請求の範囲】
【請求項１】  少なくとも第１の基地局（ＢＳ１）を備える地上セルラー無線通信ネットワーク（１０１）であって、
前記第１の基地局（ＢＳ１）は、
少なくとも第１の無線信号（Ｓ１１）と第２の無線信号（Ｓ１２）を備える低電力無線信号の第１のセット（Ｓ１１乃至Ｓ１３）を生成するように適応された無線信号生成手段（４０１）と、
前記無線信号の第１のセット（Ｓ１１乃至Ｓ１３）に対応する増幅無線信号の第２のセット（Ｓ２１乃至Ｓ２３）を、マルチキャリア電力増幅器の共通セット（４０９乃至４１２）を利用して前記無線信号の第１のセットを増幅することにより生成するように適応された電力増幅部（４０２）と、
前記増幅無線信号の第２のセット（Ｓ２１乃至Ｓ２３）を、関連するアンテナビーム（４１７乃至４１９）において拡散するように適応されたアンテナシステム（４０３）とを備え、
前記セルラー無線通信ネットワーク（１０１）は、さらに
無線信号生成手段（４０１）によって前記無線信号の第１のセット（Ｓ１１乃至Ｓ１３）の各信号に包含された無線キャリアコンポーネントを制御する制御手段（４４０，４４１）を備え、
前記制御手段（４４０、４４１）が、セルラー無線通信ネットワーク（１０１）の第１のセル（Ｃ１）で利用するために割り当てられた周波数を有する無線キャリアコンポーネントを構成するために、第１の無線信号（Ｓ１１）を生成するように、無線信号生成手段（４０１）に命令するように適応されており、前記アンテナシステム（４０３）が、前記第１のセル（Ｃ１）と関連するアンテナビーム（４１７）において前記第１の無線信号（Ｓ１１）に対応する増幅無線信号（Ｓ２１）を拡散するように適応されており、
前記制御手段（４４０、４４１）が、セルラー無線通信ネットワーク（１０１）の第２のセル（Ｃ２）で利用するために割り当てられた周波数を有する無線キャリアコンポーネントを構成するために、第２の無線信号（Ｓ１２）を生成するように、無線信号生成手段（４０１）に命令するように適応されており、前記アンテナシステム（４０３）が、前記第２のセル（Ｃ２）と関連するアンテナビーム（４１８）において前記第２の無線信号（Ｓ１２）に対応する増幅無線信号（Ｓ２２）を拡散するように適応されていることを特徴とする地上セルラー無線通信ネットワーク。
【請求項２】  前記電力増幅部（４０２）が、マルチキャリア電力増幅器の共通セット（４０９乃至４１２）に加えて、電力共有ネットワーク（４０８）と逆電力共有ネットワーク（４１３）を備え、前記電力共有ネットワーク（４０８）と前記逆電力共有ネットワーク（４１３）が、複数の入力及び出力ポート（４２０乃至４３５）を有し、マルチキャリア電力増幅器の共通セット内の増幅器（４０９乃至４１２）が、それぞれ電力共有ネットワーク（４０８）の出力ポートに接続された入力ポートと、逆電力共有ネットワーク（４１３）の入力ポートに接続された出力ポートを有し、
前記電力共有ネットワーク（４０８）が、入力ポート（４２０乃至４２２）において無線信号の第１のセット（Ｓ１１乃至Ｓ１３）を受信し、無線信号の第１のセット（Ｓ１１乃至Ｓ１３）の各信号の一部を出力ポート（４２４乃至４２７）に分配して、無線信号の第３のセット（Ｓ３１乃至Ｓ３４）を、前記出力ポート（４２４乃至４２７）に提供するように適応され、
前記マルチキャリア電力増幅器の共通セット（４０９乃至４１２）が、各マルチキャリア電力増幅器において、入力ポートにおいて受信した前記無線信号の第３のセットの信号を増幅することにより、無線信号の第４のセット（Ｓ４１乃至Ｓ４４）を提供するように適応され、
逆電力共有ネットワーク（４１３）が、入力ポート（４２８乃至４３１）で前記無線信号の第４のセットを受信し、前記電力共有ネットワーク（４０８）の逆処理を実行することにより、無線信号の第２のセット（Ｓ２１乃至Ｓ２３）を出力ポート（４３２乃至４３４）に提供するように適応される
ことを特徴とする請求項１に記載の地上セルラー無線通信ネットワーク（１０１）。
【請求項３】  前記電力共有ネットワーク（４０８）が、前記無線信号の第１のセット（Ｓ１１乃至Ｓ１３）の各信号の一部を、実質的に同等な電力レベルで、出力ポート（４２４乃至４２７）のそれぞれに提供することを特徴とする請求項２に記載の地上セルラー無線通信ネットワーク（１０１）。
【請求項４】  前記電力共有ネットワーク（４０８）が、前記無線信号の第１のセット（Ｓ１１乃至Ｓ１３）の各信号の一部を、相互に位相を交差させて出力ポート（４２４乃至４２７）のそれぞれに提供することを特徴とする請求項２又は請求項３に記載の地上セルラー無線通信ネットワーク（１０１）。
【請求項５】  前記電力増幅部（４０２）が、前記第１の基地局（ＢＳ１）によってサービスされる少なくとも第１のセル（Ｃ１）及び第２のセル（Ｃ２）を含むセルのセット（Ｃ１乃至Ｃ３）にてダウンリンクで送信されたすべての無線周波数キャリアを電力増幅するように適応され、前記セルラー無線通信ネットワーク（１０１）が、ダウンリンク電力制御又は間欠送信のような、電力削減機能を、前記セルのセット（Ｃ１乃至Ｃ３）のダウンリンク方向での送信に対し適用するように適応されていることを特徴とする請求項１乃至請求項４のいずれか１項に記載の地上セルラー無線通信ネットワーク（１０１）。
【請求項６】  無線信号（Ｓ２１乃至Ｓ２３）を、少なくとも第１の基地局（ＢＳ１）を備える地上セルラー無線通信ネットワーク（１０１）において送信する方法であって、
前記方法は前記第１の基地局（ＢＳ１）において、
少なくとも第１の無線信号（Ｓ１１）と第２の無線信号（Ｓ１２）を備える低電力無線信号の第１のセット（Ｓ１１乃至Ｓ１３）を生成する工程（a）（５０１）と、
前記無線信号の第１のセット（Ｓ１１乃至Ｓ１３）に対応する増幅無線信号の第２のセット（Ｓ２１乃至Ｓ２３）を、マルチキャリア電力増幅器の共通セット（４０９乃至４１２）を利用して前記無線信号の第１のセットを増幅することにより生成する工程（ｂ）（５０２乃至５０４）と、
前記増幅無線信号の第２のセット（Ｓ２１乃至Ｓ２３）を、関連するアンテナビーム（４１７乃至４１９）において拡散する工程（ｃ）（５０５）とを備え、
第１の無線信号（Ｓ１１）が、セルラー無線通信ネットワーク（１０１）の第１のセル（Ｃ１）で利用するために割り当てられた周波数を有する無線キャリアコンポーネントを構成するために生成され、前記第１の無線信号（Ｓ１１）に対応する増幅無線信号（Ｓ２１）が、前記第１のセル（Ｃ１）と関連するアンテナビーム（４１７）において拡散され、
第２の無線信号（Ｓ１２）が、セルラー無線通信ネットワーク（１０１）の第２のセル（Ｃ２）で利用するために割り当てられた周波数を有する無線キャリアコンポーネントを構成するために生成され、前記第２の無線信号（Ｓ１２）に対応する増幅無線信号（Ｓ２２）が前記第２のセル（Ｃ２）と関連するアンテナビーム（４１８）において拡散されることを特徴とする方法。
【請求項７】  前記生成工程（ｂ）が、
無線信号の第１のセット（Ｓ１１乃至Ｓ１３）の各信号の一部を、無線信号の第３のセット（Ｓ３１乃至Ｓ３４）の各信号に分配することにより、無線信号の第３のセット（Ｓ３１乃至Ｓ３４）を提供する工程（ｄ）（５０２）と、
前記マルチキャリア電力増幅器の共通セット（４０９乃至４１２）の一つにおいて、前記無線信号の第３のセットの信号を増幅することにより、無線信号の第４のセット（Ｓ４１乃至Ｓ４４）を提供する工程（e）（５０３）と、
前記無線信号の第４のセットに、前記工程（ｄ）の逆処理を実行することにより、無線信号の第２のセット（Ｓ２１乃至Ｓ２３）を提供する工程（ｆ）（５０４）と
を備えることを特徴とする請求項６に記載の方法。
【請求項８】  前記無線信号の第１のセット（Ｓ１１乃至Ｓ１３）の各信号が、実質的に同等な電力レベルで部分的に分配されることを特徴とする請求項７に記載の方法。
【請求項９】  前記無線信号の第１のセット（Ｓ１１乃至Ｓ１３）の各信号の一部が、位相が交差されて分配されることを特徴とする請求項７又は請求項８に記載の方法。
【請求項１０】  前記セルラー無線通信ネットワーク（１０１）が、ダウンリンク電力制御又は間欠送信のような電力削減機能を、前記第１の基地局（ＢＳ１）によってサービスされる少なくとも第１のセル（Ｃ１）及び第２のセル（Ｃ２）を含むセルのセット（Ｃ１乃至Ｃ３）のダウンリンク方向での送信に対し適用することを特徴とする請求項６乃至請求項９のいずれか１項に記載の方法。
【手続補正２】
【補正対象書類名】明細書
【補正対象項目名】０００５
【補正方法】変更
【補正の内容】
【０００５】
基地局でＭＣＰＡをＳＣＰＡの代わりに利用する利点はいくつかある。ＭＣＰＡを利用することによる第１の利点は、ダウンリンク電力制御（ＤＰＣ）及び間欠送信（discontinuous transmission:ＤＴＸ）のような機能からもたらされる利益として、所定数の無線周波数キャリアをサポートするために必要なトータル出力電力を統計的に削減することができる。ＤＰＣ機能を利用することにより、統計的に約４から６ｄＢの出力電力削減を推定することができ、ＤＴＸ機能では、統計的に約３から４ｄＢの削減を推定することができる。そして、トータルでは約十倍となる。このことは、所定数のキャリアをサポートするために設計されたＭＣＰＡは、同数のキャリアを複数のＳＣＰＡでサポートする場合に必要とされるトータル出力電力と比較すると、相当に低い出力電力で伝達可能であることを意味する。
【手続補正３】
【補正対象書類名】明細書
【補正対象項目名】００２７
【補正方法】変更
【補正の内容】
【００２７】
図３は、ダウンリンク方向において電力制御が各無線キャリア上の各タイムスロットに個別に適用された場合に、要求されるトータル出力電力ＰＲＥＤ１（ｄＢ）の統計的な減少の推定を無線キャリアの数Ｎの関数として示す図である。
【手続補正４】
【補正対象書類名】明細書
【補正対象項目名】００２８
【補正方法】変更
【補正の内容】
【００２８】
図３に示されるように、もし、無線周波数キャリアの数が十分高いならば、ダウンリンク電力制御機能の利用による、要求される出力電力における統計的な減少は、およそ４ｄＢと推定される。このように、たとえば１５個の無線キャリアをサポートするように設計された電力増幅器は、５個の無線キャリアをサポートするように設計された電力増幅器と比較して、無線キャリアそれぞれについて十分低い出力電力を伝達することができる。